Podtech/llm-jp-corpus-v4-ja_patent huggingface dataset:
【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
分散コンピューティング環境において、異なるデータプロバイダからのデータを相関させた形で提示する方法であって、
第１のエンティティによって制御される第１のデータセットに対して第１のクエリを実行して第１のデータ結果セットを捕捉することと、
第２のエンティティによって制御される第２のデータセットに対して第２のクエリを実行して第２のデータ結果セットを捕捉することと、
前記第１のデータ結果セットからの１つ以上の結果の選択を受信することと、
前記第１のデータ結果セットからの前記選択を使用して、異なるエンティティによって制御される異なるデータストアに記憶されたデータを相関させる関係オントロジーを調べ、前記第１のデータ結果セットからの前記選択の中のデータと前記第２のデータ結果セットとの間の１つ以上の関係を識別することと、
前記第１のデータ結果セットからの前記選択の中の前記データと前記第２のデータ結果セットとの間の前記１つ以上の関係を識別することに基づいて、前記第２のデータセットに関する新しいクエリを構築することと、
前記新しいクエリからの結果が前記第１のデータ結果セットからの前記選択と相関するように前記新しいクエリを前記第２のデータセットに対して実行することと、
を含む方法。
【請求項２】
前記第１のデータ結果セットからの前記選択の中の前記データと前記第２のデータ結果セットとの間の前記の識別された１つ以上の関係に基づいて、前記第２のデータ結果セットに対してさらなる操作を実行すること、をさらに含む請求項１に記載の方法。
【請求項３】
前記第２のデータ結果セットに対して前記さらなる操作を実行することは、前記第２のデータ結果セットの中の要素を強調することを含む、請求項２に記載の方法。
【請求項４】
前記第２のデータ結果セットに対して前記さらなる操作を実行することは、前記第２のデータ結果セットの中の結果を分析することを含む、請求項２に記載の方法。
【請求項５】
前記第２のデータ結果セットに対して前記さらなる操作を実行することは、前記第２のデータ結果セットの中の結果を分類することを含む、請求項２に記載の方法。
【請求項６】
前記第２のデータ結果セットに対して前記さらなる操作を実行することは、前記第２のデータ結果セットの中の結果をソートすることを含む、請求項２に記載の方法。
【請求項７】
前記第２のデータ結果セットに対して前記さらなる操作を実行することは、前記第２のデータ結果セットの中の結果をフィルタにかけることを含む、請求項２に記載の方法。
【請求項８】
前記第１のデータ結果セットと前記第２のデータ結果セットとの間の相関を表示すること、をさらに含む請求項１に記載の方法。
【請求項９】
異なるデータプロバイダからのデータを相関させた形で構築するシステムであって、
１つ以上のプロセッサと、
コンピュータ実行可能命令を記憶させた１つ以上のコンピュータ可読記憶装置と、
を備え、
前記コンピュータ実行可能命令は、前記１つ以上のプロセッサのうち少なくとも１つにより実行可能であって、当該システムに、
第１のエンティティによって制御される第１のデータセットに対して第１のクエリを実行して第１のデータ結果セットを捕捉し、
第２のエンティティによって制御される第２のデータセットに対して第２のクエリを実行して第２のデータ結果セットを捕捉し、
前記第１のデータ結果セットからの１つ以上の結果の選択を受信し、
前記第１のデータ結果セットからの前記選択を使用して、異なるエンティティによって制御される異なるデータストアに記憶されたデータを相関させる関係オントロジーを調べ、前記第１のデータ結果セットからの前記選択の中のデータと前記第２のデータ結果セットとの間の１つ以上の関係を識別し、
前記第１のデータ結果セットからの前記選択の中の前記データと前記第２のデータ結果セットとの間の前記１つ以上の関係を識別することに基づいて、前記第２のデータセットに関する新しいクエリを構築し、
前記新しいクエリからの結果が前記第１のデータ結果セットからの前記選択と相関するように前記新しいクエリを前記第２のデータセットに対して実行する
ことを実行させる、システム。
【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
システムであって、
第２のデバイス上で継続するよう第１のデバイスのタスクの選択を可能にする、選択コンポーネントと、
前記選択に基づいて、前記タスクに関連付けられる前記第１のデバイス上のコンテキスト状態をキャプチャする、状態コンポーネントと、
前記タスクを継続するよう、前記第２のデバイスに通知を送信する、通知コンポーネントと、
前記第２のデバイス上で前記タスクを再開するよう、受け取ったジェスチャを解釈する、ジェスチャコンポーネントと、
前記第２のデバイス上で前記タスクを再開するよう、前記第２のデバイスの状態を前記コンテキスト状態と同期する、同期コンポーネントと、
前記選択コンポーネント、前記通知コンポーネント、前記ジェスチャコンポーネント、前記状態コンポーネント及び前記同期コンポーネントの各々に関連付けられるコンピュータ実行可能命令を実行する、少なくとも１つのマイクロプロセッサと、
を備える、システム。
【請求項２】
前記コンテキスト状態は、前記第１のデバイスでローカルにキャプチャされて、ネットワークベースのサービスを介して前記第２のデバイスに通信されるか、ピアツーピア接続を介して前記第２のデバイスに通信される、
請求項１に記載のシステム。
【請求項３】
前記コンテキスト状態は、複数のアプリケーションに関連付けられ、該複数のアプリケーションは、前記タスクを再開するよう前記第２のデバイス上で起動される、
請求項１に記載のシステム。
【請求項４】
前記選択コンポーネントは、前記第２のデバイス上で再開すべき前記タスクを自動的に選択する、
請求項１に記載のシステム。
【請求項５】
前記ジェスチャコンポーネントは、前記第２のデバイス上の前記タスクの再開を受け入れるためのナチュラルユーザインタフェースジェスチャとして前記ジェスチャを認識する、
請求項１に記載のシステム。
【請求項６】
第２のデバイス上での継続のために第１のデバイスのタスクを選択する動作と、
前記タスクに関連する、前記第１のデバイスのコンテキスト状態をキャプチャする動作と、
前記第２のデバイス上での前記タスクの継続を可能にする通知を前記第２のデバイスに送信する動作と、
前記第２のデバイス上での前記タスクの継続を受け入れるよう前記通知と対話するジェスチャを、前記第２のデバイスにおいて受け取る動作と、
前記第１のデバイスのコンテキスト状態を前記第２のデバイスに送信する動作と、
前記第２のデバイスの状態を、前記第１のデバイスの前記コンテキスト状態と同期する動作と、
前記コンテキスト状態に従って前記第２のデバイス上で前記タスクを再開する動作と、
を備える、方法。
【請求項７】
前記第1のデバイスの前記コンテキスト状態としてチェックポイントコンテキストをキャプチャする動作
を更に備える、請求項６に記載の方法。
【請求項８】
前記通知を前記第２のデバイス及びユーザの他のデバイスへ送信する動作
を更に備え、前記第２のデバイス及び前記他のデバイスは、ユーザログイン識別子によって前記第１のデバイスに関連付けられる、
請求項６に記載の方法。
【請求項９】
前記第１のデバイスの前記コンテキスト状態を定義して前記タスクを再開する１つ以上のアプリケーションを、前記第２のデバイス上で起動する動作
を更に備える、請求項６に記載の方法。
【請求項１０】
プロセッサによって実行されると、該プロセッサに、
複数の他のデバイスのうちの１つのデバイスにおける再開のために、第１のデバイスの部分的に完了したタスクを選択する動作と、
前記タスクに関連する、前記第１のデバイスのアプリケーション状態をキャプチャする動作と、
前記複数の他のデバイスに通知を送信する動作と、
第２のデバイス上で前記タスクの再開を開始するよう前記通知と対話するジェスチャを、前記複数の他のデバイスのうちの前記１つのデバイスにおいて受け取る動作と、
前記第１のデバイスの前記アプリケーション状態を前記複数の他のデバイスのうちの前記１つのデバイスに送信する動作と、
前記複数の他のデバイスのうちの前記１つのデバイスのアプリケーション状態を、前記第１のデバイスの前記アプリケーション状態と同期する動作と、
前記第１のデバイスから受け取った前記アプリケーション状態に基づいて、前記部分的に完了したタスクを前記複数の他のデバイスのうちの前記１つのデバイスにおいて再開する動作と、
を含む動作を実行させるコンピュータプログラム。
【手続補正書】
【提出日】平成29年6月5日(2017.6.5)
【手続補正１】
【補正対象書類名】特許請求の範囲
【補正対象項目名】請求項１２
【補正方法】変更
【補正の内容】
【請求項１２】
固有粘度が０．５０乃至１．２ｄｌ／ｇであるポリエチレンテレフタレート（ＰＥＴ）樹脂；および
芳香族ジカルボン酸に由来する残基のジカルボン酸由来残基と、
下記化学式１で表される４−（ヒドロキシメチル）シクロヘキシルメチル４’−（ヒドロキシメチル）シクロヘキサンカルボキシレートに由来する残基、および下記化学式２で表される４，４−（オキシビス（メチレン）ビス）シクロヘキサンメタノールに由来する残基のジオール由来残基を含む共重合ポリエステル樹脂；
を含む熱収縮フィルム。
【化２】
2016521807.tif 000001
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
（ｉ）重合可能なフッ素化オレフィン系モノマーと、（ｉｉ）ＣＦ２＝ＣＦＯ−Ｒｆ−ＣＨ＝ＣＨ２（式中、Ｒｆは、全フッ素化基であり、所望により連結したＯ原子を含むが、但し、前記Ｒｆ基が、前記ビニルエーテル基の前記酸素原子と前記ビニル基との間に２又は３個の連結した原子を含まないことを条件とする）から選択される炭化水素オレフィン含有ペルフルオロビニルエーテルモノマーと、の重合に由来するフルオロポリマーを含む、組成物。
【請求項２】
Ｒｆが、置換、非置換、飽和、直鎖、又は分枝鎖であり、所望により連結した酸素原子を含む、請求項１に記載の組成物。
【請求項３】
Ｒｆが、−ＣＦ２−及び４〜１０個の炭素原子を含む全フッ素化アルキレンラジカルのうちの少なくとも１つから選択される、請求項１又は２に記載の組成物。
【請求項４】
前記炭化水素オレフィン含有ペルフルオロビニルエーテルモノマーの量が、使用されるモノマーの総モルの０．０１〜０．１モル％である、請求項１〜３のいずれか一項に記載の組成物。
【請求項５】
前記フルオロポリマーが、(a)全フッ素化一ヨウ化アルキル、全フッ素化二ヨウ化アルキル、全フッ素化一臭化アルキル、及び全フッ素化二臭化アルキルのうちの少なくとも１つから選択される連鎖移動剤、及び／又は(b)ＣＦ２＝ＣＨＢｒ、ＣＨ２＝ＣＨＣＨ２Ｂｒ、ＣＦ２＝ＣＦＣＦ２Ｂｒ、ＣＨ２＝ＣＨＣＦ２ＣＦ２Ｂｒ、ＣＦ２＝ＣＨＩ、ＣＨ２＝ＣＨＣＨ２Ｉ、ＣＦ２＝ＣＦＣＦ２Ｉ、ＣＨ２＝ＣＨＣＦ２ＣＦ２Ｉ、ＣＦ２＝ＣＦＯＣ４Ｆ８Ｉ、ＣＦ２＝ＣＦＯＣ２Ｆ４Ｉ、ＣＦ２＝ＣＦＯＣＦ２ＣＦ（ＣＦ３）ＯＣ２Ｆ４Ｉ、ＣＨ２＝ＣＨＣＦ２ＣＦ２Ｉ、ＣＦ２＝ＣＦＯＣＦ２ＣＦ２ＣＨ２Ｉ、ＣＦ２＝ＣＦＯＣＦ２ＣＦ２ＣＨ２ＣＨ２Ｉ、及びＣＦ２＝ＣＦＯＣ４Ｆ８ＣＨ２ＣＨ２Ｉのうちの少なくとも１つから選択される硬化部位モノマーに更に由来する、請求項１〜６のいずれか一項に記載の組成物。
【請求項６】
請求項１〜５のいずれか一項に記載の組成物及び硬化剤を含む、硬化性組成物。
【請求項７】
請求項２に記載の硬化性組成物を含む物品を含む、硬化した物品。
【請求項８】
硬化物品が、金属酸化物及び金属水酸化物のうちの少なくとも１つから選択される酸受容体を本質的に含まない、請求項７に記載の硬化物品。
【請求項９】
フルオロポリマーを作製する方法であって、重合可能なフッ素化オレフィン系モノマー、及びＣＦ２＝ＣＦＯ−Ｒｆ−ＣＨ＝ＣＨ２（式中、Ｒｆは、フッ素化基であるが、但し、前記Ｒｆ基が、前記ビニルエーテル基の前記酸素原子と前記ビニル基との間に２又は３個の連結した原子を含まないことを条件とする）から選択される炭化水素オレフィン含有ペルフルオロビニルエーテルモノマーを提供することと、開始剤の存在下で前記モノマーを重合することと、を含む、方法。
【請求項１０】
硬化部位モノマーの非存在下でモノマーを重合することを更に含む、請求項９に記載の方法。
【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
弧状の形からゆがみのない平な形になり、その逆にもなる２モード動作を有するウイングであって、
−  直列的に接続され、少なくとも一対の隣接するパワーウイング翼（１−１，１−２，１−３）の間に置かれた少なくとも一の関節ジョイント（２，３）を介して相互に関節的に接続された三またはそれ以上の前記パワーウイング翼（１−１，１−２，１−３）を構成として含み、
−  前記パワーウイング翼（１−１，１−２，１−３）のロープの方向に沿った一又はそれ以上の平行な隆起（５）に接続される少なくとも一のウイング面（４）を構成として含み、かつ、
−  前記ジョイント（２，３）の少なくとも一は、一対の前記外部隆起（５−１，５−２）及び一対の内部布端（８，９）にそれぞれ接続される外部布端（６，７）を構成として含み、前記ジョイント（２，３）は前記パワーウイング翼（１−１，１−２，１−３）に属するロープ（１０）を対称的に覆う、
ことを特徴とするウイング。
【請求項２】
前記パワーウイング翼（１−１，１−２，１−３）の各一は少なくとも一の剛体の外角を構成として有することを特徴とする請求項1に記載のウイング。
【請求項３】
前記ゆがみのない平な形の形態は、前記内部布端（８，９）が伸びて前記ウイング面（４）に接する方向になる広がったポジションにおける前記ジョイント（２，３）の一に対応することを特徴とする請求項１に記載のウイング。
【請求項４】
前記弧状の形状の形態は、前記内部布端（８，９）が前記ウイングプロフィル（１−１，１−２，１−３）の内部に曲げられる収縮ポジションにおける前記ジョイント（２，３）の一に対応することを特徴とする請求項１に記載のウイング。
【請求項５】
前記一又はそれ以上の隆起（５）は前記ウイング面（４）の外部にあって外骨格としての機能を果たすことを特徴とする請求項１に記載のウイング。
【請求項６】
前記一又はそれ以上の隆起（５）は前記ウイング面（４）の凹部に沿って配置されることを特徴とする請求項１に記載のウイング。
【請求項７】
前記パワーウイング翼（１−１，１−３）の一の少なくとも二つの端部、特には、前記ウイングの制御用の係留索が繋がれた、前記プロフィルを構成している剛体の外角は、前記２つのパワーウイング翼（１−１，１−３）上の前記係留索によってもたらされた負荷を少なくとも分散するのに適した強化構造を備えていることを特徴とする請求項１に記載のウイング。
【請求項８】
前記ウイング面（４）は熱可塑性又は熱硬化性の樹脂でコーティングされた布で作られていることを特徴とする請求項１に記載のウイング。
【請求項９】
前記ウイングは非対称の形状であることを特徴とする請求項１に記載のウイング。
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
長さ方向の中心軸および内側表面を有するハウジング；および
該軸から離れる方向に該内側表面から伸びる少なくとも１つのベント溝を含み、
該少なくとも１つのベント溝は、該軸に垂直に伸びる第１の平面から離れて配置された第１の端部、および、該軸に垂直に伸びる第２の平面から離れて配置された第２の端部を有し、
該第２の端部は、第1の平面より第２の平面により近い、
ベントされた加圧ガス駆動アクチュエーター。
【請求項２】
該内側表面が円筒状の空間を画定し、該溝は該円筒状の空間の外部に存在することを特徴とする、請求項１記載のアクチュエーター。
【請求項３】
該内側表面が一定の半径を有する、請求項１記載のアクチュエーター。
【請求項４】
該第１および第２の平面が、一定半径を有する該ハウジング内側表面の長さ方向の範囲を画定することを特徴とする、請求項３記載のアクチュエーター。
【請求項５】
該軸から離れる方向に該内側表面から伸びる他のベント溝をさらに含む請求項１記載のアクチュエーター。
【請求項６】
該他のベント溝が、該第１の平面とは隔てて配置される第１の端を有する、請求項５の記載アクチュエーター。
【請求項７】
該他のベント溝が、該第２の平面とは隔てて配置される第２の端を有し、該他のベント溝の第２の端が、該第1の平面より該第２の平面により近い、請求項６記載のアクチュエーター。
【請求項８】
該他のベント溝が、該第２の平面と交差する第２の端部を持っていることを特徴とする、請求項６記載のアクチュエーター。
【請求項９】
該少なくとも１つのベント溝の第１の端部は、該第１と第２の平面の間に位置した第３の平面に沿って存在し、該少なくとも１つのベント溝の第２の端部は、該第３と第２の平面の間に位置する第４の平面に沿って存在し、該他のベント溝は、該第３の平面に沿って存在する第１の端部、および、該第４の平面に沿って存在する第２の端部を有する、請求項５記載のアクチュエーター。
【請求項１０】
該他のベント溝が該少なくとも１つのベント溝と共軸であることを特徴とする、請求項５記載のアクチュエーター。
【請求項１１】
該他のベント溝が、該第1の平面と交差する第１の端部、および、該第２の平面と交差する第２の端部を有する、請求項５のアクチュエーター。
【請求項１２】
該他のベント溝が、該少なくとも１つのベント溝と半径方向の反対側に位置する、請求項５記載のアクチュエーター。
【請求項１３】
該少なくとも１つのベント溝の一部が、該第１と第２の平面の間に位置する第３と第４の平面の間に伸びて、該他のベント溝の一部が、該第３と第４の平面の間に伸びることを特徴とする、請求項５記載のアクチュエーター。
【請求項１４】
さらにガス発生機、および該ハウジング内に移動可能に配置されたピストンを含み、該ピ
ストンはその内部に、該ガス発生機に面する該ピストンの側に沿って形成されたキャビティを有する、請求項１記載のアクチュエーター。
【請求項１５】
内側表面、および壁内に該内側表面から伸びる少なくとも１つのベント溝を含む、ベントされた加圧ガス駆動アクチュエーターのハウジング。
【請求項１６】
該少なくとも１つのベント溝は、軸に垂直に伸びる第１の平面から離れて配置された第１の端部、および、該軸に垂直に伸びる第２の平面から離れて配置された第２の端部を有し、
該第２の端部は、該第1の平面より該第２の平面により近いことを特徴とする、請求項１５記載のハウジング。
【請求項１７】
請求項１５に記載のハウジングを含むアクチュエーター。
【請求項１８】
請求項１５に記載のアクチュエーターを含む乗り物。
【請求項１９】
請求項１に記載のアクチュエーターを含む乗り物。
【請求項２０】
該他のベント溝の長さ方向の軸が、該ハウジングの長さ方向の軸に垂直な平面に存在する、請求項５記載のアクチュエーター。
【手続補正２】
【補正対象書類名】明細書
【補正対象項目名】発明の名称
【補正方法】変更
【補正の内容】
【発明の名称】ベントされた加圧ガス駆動アクチュエーター、ハウジング、及び、乗り物
【手続補正書】
【提出日】平成29年4月5日(2017.4.5)
【手続補正１】
【補正対象書類名】明細書
【補正対象項目名】００１４
【補正方法】変更
【補正の内容】
【００１４】
シリンダ５０のピストン６０、６２がそれらのＴＣ位置またはその近傍にあるときには、燃焼室が孔５２内のピストンの端面６１、６３間に画定される。シリンダ５０の側壁を貫通する開口内に位置される少なくとも１つの燃料注入ノズル７０を通じて燃料が燃焼室内へ直接に注入される。
【手続補正２】
【補正対象書類名】図面
【補正対象項目名】図１
【補正方法】変更
【補正の内容】
【図１】
2016521327.tif 000001
【手続補正３】
【補正対象書類名】図面
【補正対象項目名】図２
【補正方法】変更
【補正の内容】
【図２】
2016521327.tif 000002
【手続補正４】
【補正対象書類名】図面
【補正対象項目名】図３
【補正方法】変更
【補正の内容】
【図３】
2016521327.tif 000003
【手続補正５】
【補正対象書類名】図面
【補正対象項目名】図４
【補正方法】変更
【補正の内容】
【図４】
2016521327.tif 000004
【手続補正６】
【補正対象書類名】図面
【補正対象項目名】図５
【補正方法】変更
【補正の内容】
【図５】
2016521327.tif 000005
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
オレフィン系樹脂フィルムの片面に、（１）および（２）の特徴を有する熱可塑性樹脂を含むヒートシール層を有し、
前記熱可塑性樹脂がメタロセン触媒を用いて共重合されたエチレン系共重合体であるインモールド成形用ラベル。
（１）示差走査熱量測定による結晶化ピークが８５〜１１０℃の間に少なくとも１つ存在する
（２）１３０℃におけるホットタック力が１２０〜３５０ｇｆ／ｃｍ２である
【請求項２】
前記熱可塑性樹脂の示差走査熱量測定による融解ピークが９０〜１３０℃の間に少なくとも１つ存在することを特徴とする請求項１に記載のインモールド成形用ラベル。
【請求項３】
前記熱可塑性樹脂がメタロセン触媒を用いて共重合されたエチレン・α−オレフィン共重合体であることを特徴とする請求項１または２に記載のインモールド成形用ラベル。
【請求項４】
前記熱可塑性樹脂が気相法でメタロセン触媒を用いて共重合されたエチレン・１−へキセン共重合体であることを特徴とする請求項３に記載のインモールド成形用ラベル。
【請求項５】
前記熱可塑性樹脂の密度が０．９０５〜０．９４０ｇ／ｃｍ３であることを特徴とする請求項１〜４の何れか一項に記載のインモールド成形用ラベル。
【請求項６】
前記熱可塑性樹脂の１３０℃におけるホットタック力が１４０〜３５０ｇｆ／ｃｍ２であることを特徴とする請求項１〜５の何れか一項に記載のインモールド成形用ラベル。
【請求項７】
オレフィン系樹脂フィルムがオレフィン系樹脂および無機微細粉末１〜７５重量％を含むことを特徴とする請求項１〜５の何れか一項に記載のインモールド成形用ラベル。
【請求項８】
オレフィン系樹脂フィルムが少なくとも１軸方向に延伸されていることを特徴とする請求項１〜６の何れか一項に記載のインモールド成形用ラベル。
【請求項９】
請求項１〜７の何れか一項に記載のインモールド成形用ラベルを貼着したラベル付きプラスチック容器。
【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
駆動手段に接続し、第１の回転軸の周りを回転する第１の部分と、
ロータの一部に係合して前記ロータをそれに対して保持するように構成された取付アセンブリを備え、第２の回転軸の周りを回転するように構成された第２の部分と、
前記第１の部分を前記第２の部分に接続して、前記第１の部分の回転動が前記第２の回転軸の周りの前記第２の部分の回転動を生じさせる接続部材と
を備え、
前記接続部材が、前記第１の部分に対する前記第２の部分の半径方向の動きを防止するように実質的に構成されるが、前記第２の回転軸に対する前記第１の回転軸の傾斜を可能にすることを特徴とする、ロータのための取付装置。
【請求項２】
前記第１の部分は、前記第１の回転軸周りの回転をもたらすためのモータに接続されるように構成された駆動アセンブリであることを特徴とする請求項１に記載の取付装置。
【請求項３】
前記接続部材は、前記第１の回転軸に略垂直に延びる面に位置決めされることを特徴とする請求項１または２に記載の取付装置。
【請求項４】
前記接続部材は、前記第１の回転軸および／または前記第２の回転軸から略半径方向に離れて延びる面に配置されることを特徴とする請求項１乃至３のいずれか一項に記載の取付装置。
【請求項５】
前記接続部材は半径方向に剛性であることを特徴とする請求項１乃至４のいずれか一項に記載の取付装置。
【請求項６】
前記接続部材はねじりに対して剛性であることを特徴とする請求項１乃至５のいずれか一項に記載の取付装置。
【請求項７】
前記接続部材は、外側リングと、前記外側リングから離間された、前記外側リングと同心の内側リングとを備え、前記外側リングは前記第１の部分に接続され、前記内側リングは前記第２の部分に接続され、前記外側リングおよび内側リングは複数の伸張部材により接続されることを特徴とする請求項１乃至６のいずれか一項に記載の取付装置。
【請求項８】
前記伸張部材は、前記接続部材の軸の周りで互いに周方向に均一に離間されることを特徴とする請求項７に記載の取付装置。
【請求項９】
前記取付アセンブリは係合構成を備え、前記係合構成は、前記ロータの端部に係合し、前記端部をそれに対してしっかりと回転保持するように構成されることを特徴とする請求項１乃至８のいずれか一項に記載の取付装置。
【請求項１０】
前記係合構成は、前記ロータの前記端部に形成された１または複数のスプラインに係合するように構成されたスプライン凹部によって提供されることを特徴とする請求項９に記載の取付装置。
【請求項１１】
前記係合構成は、前記ロータの前記端部内または前記端部上に設けられた凹状雌構成に係合する雄構成であることを特徴とする請求項１０に記載の取付装置。
【請求項１２】
前記係合構成は、前記ロータの前記端部に、または前記端部上に設けられた雄構成を受けるための雌構成であることを特徴とする請求項１０に記載の取付装置。
【請求項１３】
前記取付アセンブリは、前記ロータの表面の一部に当接するように各々構成された、複数の周方向に離間された半径方向に可動な保持構成を備えることを特徴とする請求項１乃至１２のいずれか一項に記載の取付装置。
【請求項１４】
前記第２の部分は、前記取付アセンブリの全体またはかなりの部分を受けるための凹部を備えることを特徴とする請求項１乃至１３のいずれか一項に記載の取付装置。
【請求項１５】
ロータの対向するそれぞれの第１の端部および第２の端部を受けるための、請求項１乃至１４のいずれか一項に各々記載の第１の取付装置および第２の取付装置と、前記第１の取付装置および前記第２の取付装置の一方または両方を駆動するために接続された少なくとも１つのモータとを備えることを特徴とする、ロータを駆動するための装置。
【請求項１６】
請求項１５に記載に記載の装置を備える釣合い試験機であって、前記試験機に取り付けられたロータの不釣合いを測定するために、前記第１の取付装置と前記第２の取付装置との間の位置に配置された複数の測定デバイスをさらに備えることを特徴とする釣合い試験機。
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
アルキル（メタ）アクリレートモノマーから誘導される重合単位を少なくとも５０重量％と、
（メタ）アクリレート基及びＣ６〜Ｃ２０のオレフィン基を含む少なくとも１つの架橋モノマー０．２〜１５重量％とを含み、前記オレフィン基は直鎖又は分枝鎖であり、置換されていてもよい、感圧性接着剤組成物。
【請求項２】
前記感圧性接着剤が、１つ以上のアルキル（メタ）アクリレートモノマーから誘導される重合単位を少なくとも５５、６０、６５、又は７０重量％含む、請求項１に記載の感圧性接着剤組成物。
【請求項３】
前記架橋モノマーが式：
【化１】
2016521306.tif 000001
（Ｒ１はＨ又はＣＨ３であり、
Ｌは任意の結合基であり、
Ｒ２は置換されていてもよいＣ６〜Ｃ２０のオレフィン基である）
を有する、請求項１又は２に記載の感圧性接着剤組成物。
【請求項４】
Ｌが１つ以上のアルキレンオキシド基を含む、請求項３に記載の感圧性接着剤組成物。
【請求項５】
前記架橋モノマーが、シトロネリル（メタ）アクリレート、ゲラニオール（メタ）アクリレート、ファルネソール（メタ）アクリレート、ウンデセニル（メタ）アクリレート、及びオレイル（メタ）アクリレートからなる群から選択される、請求項３又は４に記載の感圧性接着剤組成物。
【請求項６】
前記感圧性接着剤組成物が、６〜２０個の炭素原子を含むアルキル（メタ）アクリレートの重合単位を少なくとも５０、５５、６０、６５、又は７０重量％含む、請求項１〜５のいずれか一項に記載の感圧性接着剤組成物。
【請求項７】
剥離ライナー上に配置されている、請求項１〜６のいずれか一項に記載の感圧性接着剤組成物を含む、感圧性接着剤物品。
【請求項８】
請求項１〜６のいずれか一項に記載の感圧性接着剤組成物を裏材上に含む、感圧性接着剤物品。
【請求項９】
ｉ）フリーラジカル重合性溶媒モノマーと、
ｉｉ）１つ以上のアルキル（メタ）アクリレートモノマーから誘導される重合単位を含む溶質（メタ）アクリルポリマーと、
を含むシロップを含み、
前記シロップが少なくとも１つの架橋モノマーを含むか、又は前記（メタ）アクリル溶質ポリマーが少なくとも１つの架橋モノマーから誘導される重合単位を含み、前記架橋モノマーが（メタ）アクリレート基及びＣ６〜Ｃ２０のオレフィン基を含み、前記オレフィン基が直鎖、分枝鎖、又は環状であって、置換されていてもよい、接着剤組成物。
【請求項１０】
前記接着剤が、請求項１〜６の組み合わせのいずれか一つに記載の感圧性接着剤である、請求項９に記載の接着剤組成物。
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
蒸発させる蒸着材料のターゲット（２）と、蒸発させる蒸着材料の蒸発に影響を与えるフェロ磁性ヨーク（３）と、蒸発させる蒸着材料の蒸発に影響を与える少なくとも１つの永久磁石（４）とを有し、前記フェロ磁性ヨーク（３）が前記ターゲット（２）に接触して配置されたアーク蒸着源（１）であって、
前記永久磁石（４）が前記フェロ磁性ヨーク（３）を介して前記ターゲット（２）に固定されることを特徴とするアーク蒸着源（１）。
【請求項２】
前記フェロ磁性ヨーク（３）と前記ターゲット（２）とが機械結合（５）によって互いに連結されていることを特徴とする請求項１記載のアーク蒸着源。
【請求項３】
前記フェロ磁性ヨーク（３）と前記ターゲット（２）とがねじ結合によって互いに連結されていることを特徴とする請求項１または２記載のアーク蒸着源。
【請求項４】
前記ターゲット（２）が前記ヨーク（３）に設けられた雌ねじと組み合わされる雄ねじを備えることを特徴とする請求項１から３のいずれか１つに記載のアーク蒸着源。
【請求項５】
前記フェロ磁性ヨーク（３）を前記ターゲット（２）の背面（２１）に配置したことを特徴とする請求項１から４のいずれか１つに記載のアーク蒸着源。
【請求項６】
前記フェロ磁性ヨーク（３）が前記ターゲット（２）の背面（２１）を基本的に椀状に取り囲んでいることを特徴とする請求項１から５のいずれか１つに記載のアーク蒸着源。
【請求項７】
前記永久磁石（４）が前記フェロ磁性ヨーク（３）の前記ターゲット（２）に対向する側で前記ヨーク（３）内に収納されていることを特徴とする請求項１から６のいずれか１つに記載のアーク蒸着源。
【請求項８】
前記永久磁石（４）がリング状に形成されていることを特徴とする請求項１から７のいずれか１つに記載のアーク蒸着源。
【請求項９】
前記ヨーク（３）がアーク蒸着装置の冷却支持部と機械結合するための１つの固定部分（３３）を有することを特徴とする請求項１から８のいずれか１つに記載のアーク蒸着源。
【請求項１０】
前記固定部分（３３）がねじであることを特徴とする請求項９記載のアーク蒸着源。
【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
機械装置の潤滑において潤滑油組成物の摩擦係数を減少させる方法であって、
前記潤滑油組成物を、
ａ）任意に無水物の形の、少なくとも１つのジカルボン酸および
ｂ１）１０個の炭素原子を有し、一般式Ｉ
【化１】
2016521311.tif 000001
〔式中、Ｒ1は、ペンチルであり、Ｒ2は、Ｈであり、およびＲ3は、プロピルである〕の構造を有する、少なくとも１つのモノアルコール
を含む混合物を反応させることによって得ることができるカルボン酸エステルと配合することを含む、前記方法。
【請求項２】
摩擦係数を、７０℃および１ＧＰａでの小型トラクション計測器（ＭＴＭ）による測定を用いて２５％の滑り率（ＳＲＲ）で測定する、請求項１記載の方法。
【請求項３】
前記ジカルボン酸は、フタル酸、コハク酸、アルキルコハク酸およびアルケニルコハク酸、マレイン酸、アゼライン酸、スベリン酸、セバシン酸、フマル酸、アジピン酸、リノール酸二量体、マロン酸、アルキルマロン酸、アルケニルマロン酸、グルタル酸、ジグリコール酸、１，４−シクロヘキサンジカルボン酸、２，６−デカヒドロナフタレンジカルボン酸、１，３−シクロヘキサンジカルボン酸および２，５−ノルボルナンジカルボン酸からなる群から選択されている、請求項１または２記載の方法。
【請求項４】
前記ジカルボン酸は、グルタル酸、ジグリコール酸、コハク酸、アゼライン酸、セバシン酸、１，４−シクロヘキサンジカルボン酸、アジピン酸、２，６−デカヒドロナフタレンジカルボン酸、１，３−シクロヘキサンジカルボン酸および２，５−ノルボルナンジカルボン酸からなる群から選択されている、請求項１から３までのいずれか１項に記載の方法。
【請求項５】
前記ジカルボン酸は、アジピン酸である、請求項１から４までのいずれか１項に記載の方法。
【請求項６】
前記混合物は、さらに、１０個の炭素原子および一般式ＩＩ
【化２】
2016521311.tif 000002
〔式中、
Ｒ4は、ペンチル、イソペンチル、２−メチルブチル、３−メチルブチルおよび２，２−ジメチルプロピルからなる群から選択されており、
Ｒ5は、Ｈまたはメチルであり、および
Ｒ6は、エチル、プロピルおよびイソプロピルからなる群から選択されている〕の構造を有するモノアルコールｂ２）を含み、
それによって、モノアルコールｂ１）とモノアルコールｂ２）とは、異なる構造を有する、請求項１記載の方法。
【請求項７】
モノアルコールｂ１）対モノアルコールｂ２）の質量比は、５：１〜９５：１の範囲内にある、請求項１から６までのいずれか１項に記載の方法。
【請求項８】
前記モノアルコールｂ１）は、酸ａ）に対して、２．０５：１〜３．０：１の範囲内のモル比で存在する、請求項１から７までのいずれか１項に記載の方法。
【請求項９】
前記潤滑油組成物は、潤滑油組成物の全体量に対して、少なくとも１つのカルボン酸エステルを、１質量％以上〜１０質量％以下または１質量％以上〜４０質量％以下または２０質量％以上〜１００質量％以下含む、請求項１から８までのいずれか１項に記載の方法。
【請求項１０】
前記潤滑油組成物は、さらに、鉱油（グループＩ、ＩＩまたはＩＩＩ油）、ポリα−オレフィン、重合されたオレフィンおよび共重合されたオレフィン、アルキルナフタレン、アルキレンオキサイドポリマー、シリコーン油およびリン酸エステルからなる群から選択された基油を含む、請求項１から９までのいずれか１項に記載の方法。
【請求項１１】
前記潤滑油組成物は、潤滑油組成物の全体量に対して、基油を１質量％以上〜４９質量％以下または５０質量％以上〜９９質量％以下含む、請求項１０記載の方法。
【請求項１２】
前記機械装置は、軸受、アクチュエータ、歯車、ピストン、クランク軸、継手および誘導装置からなる群から選択されている、請求項１から１１までのいずれか１項に記載の方法。
【請求項１３】
前記機械装置は、１０℃以上ないし１２０℃以下の範囲内の温度で運転される、請求項１から１２までのいずれか１項に記載の方法。
【請求項１４】
機械装置の潤滑において潤滑油組成物の摩擦係数を減少させるための、
ａ）任意に無水物の形の、少なくとも１つのジカルボン酸および
ｂ１）１０個の炭素原子を有し、一般式Ｉ
【化３】
2016521311.tif 000003
〔式中、Ｒ1は、ペンチルであり、Ｒ2は、Ｈであり、およびＲ3は、プロピルである〕の構造を有する、少なくとも１つのモノアルコール
を含む混合物を反応させることによって得ることができるカルボン酸エステルの使用。
【請求項１５】
摩擦係数を、７０℃および１ＧＰａでの小型トラクション計測器（ＭＴＭ）による測定を用いて２５％の滑り率（ＳＲＲ）で測定する、請求項１４記載の使用。
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
Ｂ細胞増殖性障害の処置に使用するための組み合わせであって、該組み合わせは：
ａ．イブルチニブ；及び
ｂ．ＡＢＴ−１９９
を含み、
Ｂ細胞増殖性障害は、慢性リンパ球性白血病（ＣＬＬ）、小リンパ球性リンパ腫（ＳＬＬ）、非ＣＬＬ／ＳＬＬリンパ腫、濾胞性リンパ腫、再発性又は難治性の外套細胞リンパ腫、再発性又は難治性のびまん性大細胞型Ｂ細胞リンパ腫（ＤＬＢＣＬ）、ワルデンストローム・マクログロブリン血症、多発性骨髄腫、辺縁帯リンパ腫、バーキットリンパ腫、非バーキットの高悪性度Ｂ細胞リンパ腫、結節外の辺縁帯Ｂ細胞リンパ腫、急性又は慢性の骨髄性（又は脊髄性）白血病、骨髄異形成症候群、或いは急性リンパ芽球性白血病から選択される
ことを特徴とする組み合わせ。
【請求項２】
Ｂ細胞増殖性障害は再発性又は難治性のＤＬＢＣＬである、ことを特徴とする請求項１に記載の組み合わせ。
【請求項３】
再発性又は難治性のＤＬＢＣＬは、再発性又は難治性の「活性化Ｂ細胞（ＡＢＣ）」ＤＬＢＣＬである、ことを特徴とする請求項２に記載の組み合わせ。
【請求項４】
再発性又は難治性のＤＬＢＣＬは、再発性又は難治性の「胚中心Ｂ細胞様（ＧＣＢ）」ＤＬＢＣＬである、ことを特徴とする請求項２に記載の組み合わせ。
【請求項５】
イブルチニブの量は、約１０ｍｇから約１００ｍｇ、１００ｍｇから約２００ｍｇ、又は約２００から約３００ｍｇ、又は約３００から約５００ｍｇ、又は約５００から約８４０ｍｇの間である、ことを特徴とする請求項１に記載の組み合わせ。
【請求項６】
イブルチニブの量は約１４０ｍｇである、ことを特徴とする請求項５に記載の組み合わせ。
【請求項７】
イブルチニブとＡＢＴ−１９９は、組み合わせた剤形である、ことを特徴とする請求項１に記載の組み合わせ。
【請求項８】
イブルチニブとＡＢＴ−１９９は、別個の剤形である、ことを特徴とする請求項１に記載の組み合わせ。
【請求項９】
ＡＢＴ−１９９の量は約５ｍｇから約１０００ｍｇである、ことを特徴とする請求項１に記載の組み合わせ。
【請求項１０】
イブルチニブ対ＡＢＴ−１９９の質量比は、約９：１、約４：１、約７：３、約３：２、約１：１、約２：３、約３：７、約１：４、又は約１：９である、ことを特徴とする請求項１に記載の組み合わせ。
【請求項１１】
イブルチニブの量は、約２８０ｍｇ、約４２０ｍｇ、又は約５６０ｍｇである、ことを特徴とする請求項１に記載の組み合わせ。
【請求項１２】
イブルチニブはカプセルの形態である、ことを特徴とする請求項１に記載の組み合わせ。
【請求項１３】
イブルチニブは錠剤の形態である、ことを特徴とする請求項１に記載の組み合わせ。
【請求項１４】
イブルチニブの量は、約１４０ｍｇ、約２８０ｍｇ、約４２０ｍｇ、又は約５６０ｍｇであり、イブルチニブはカプセルの形態である、ことを特徴とする請求項１に記載の組み合わせ。
【請求項１５】
イブルチニブの量は、約１４０ｍｇ、約２８０ｍｇ、約４２０ｍｇ、又は約５６０ｍｇであり、イブルチニブは錠剤の形態である、ことを特徴とする請求項１に記載の組み合わせ。
【請求項１６】
イブルチニブの量は約４２０ｍｇであり、イブルチニブはカプセルの形態である、ことを特徴とする請求項１に記載の組み合わせ。
【請求項１７】
イブルチニブの量は約４２０ｍｇであり、イブルチニブは錠剤の形態である、ことを特徴とする請求項１に記載の組み合わせ。
【請求項１８】
イブルチニブの量は約５６０ｍｇであり、イブルチニブはカプセルの形態である、ことを特徴とする請求項１に記載の組み合わせ。
【請求項１９】
イブルチニブの量は約５６０ｍｇであり、イブルチニブは錠剤の形態である、ことを特徴とする請求項１に記載の組み合わせ。
【請求項２０】
イブルチニブ対ＡＢＴ−１９９の質量比は、約３：２、約１：１、又は約２：３である、ことを特徴とする請求項１に記載の組み合わせ。
【請求項２１】
ＡＢＴ−１９９は錠剤の形態である、ことを特徴とする請求項１に記載の組み合わせ。
【請求項２２】
Ｂ細胞増殖性障害は、慢性リンパ球性白血病（ＣＬＬ）、小リンパ球性リンパ腫（ＳＬＬ）、濾胞性リンパ腫、再発性又は難治性の外套細胞リンパ腫、或いは再発性又は難治性のびまん性大細胞型Ｂ細胞リンパ腫（ＤＬＢＣＬ）である、ことを特徴とする請求項１及び請求項５乃至２１の何れか１つに記載の組み合わせ。
【請求項２３】
Ｂ細胞増殖性障害は、再発性又は難治性のＢ細胞増殖性障害である、ことを特徴とする請求項１及び請求項５乃至２１の何れか１つに記載の組み合わせ。
【請求項２４】
Ｂ細胞増殖性障害は慢性リンパ球性白血病（ＣＬＬ）である、ことを特徴とする請求項１及び請求項５乃至２１の何れか１つに記載の組み合わせ。
【請求項２５】
Ｂ細胞増殖性障害はハイリスクＣＬＬである、ことを特徴とする請求項１及び請求項５乃至２１の何れか１つに記載の組み合わせ。
【請求項２６】
Ｂ細胞増殖性障害は再発性又は難治性の外套細胞リンパ腫である、ことを特徴とする請求項１及び請求項５乃至２１の何れか１つに記載の組み合わせ。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
式Ｉに従う構造を有する、量子ドット結合用リガンド。
【化１】
2016521251.tif 000001
（ここで、
Ａは６〜１２個のケイ素原子を含む多面体オリゴマー状シルセスキオキサン（ＰＯＳＳ）部分であり；
各基−Ｏ−Ｓｉ（Ｒ1）2−Ｌ−（Ｒ2）qはＰＯＳＳ部分中のケイ素原子に結合し；
各Ｒ1は独立してＨ又はＣ1−6アルキルより成る群から選択され；
各Ｌは独立してＣ3−8アルキレン、Ｃ3−8ヘテロアルキレン及びＣ3−8アルキレン−（Ｃ（Ｏ）ＮＨ−Ｃ2−8アルキレン）qより成る群から選択され；
各Ｒ2は独立してＣ（Ｏ）ＯＨ及びＮＲ2aＲ2bより成る群から選択され、ここで、Ｒ2a及びＲ2bはそれぞれ独立してＨ及びＣ1−6アルキルより成る群から選択され；
各Ｒ3は独立してＣ8−20アルキル、Ｃ8−20ヘテロアルキル、Ｃ8−20アルケニル、Ｃ8−20アルキニル、シクロアルキル及びアリールより成る群から選択され；
下付文字ｍは１〜２０の整数であり；
下付文字ｎは１〜２０の整数であり；
各下付文字ｑは独立して２〜１０の整数である。）
【請求項２】
各Ｒ1が独立してＣ1−3アルキルである、請求項１に記載の量子ドット結合用リガンド。
【請求項３】
各Ｒ1がメチルである、請求項１に記載の量子ドット結合用リガンド。
【請求項４】
各−Ｌ−（Ｒ2）q基が独立してＣ3−8アルキレン−（Ｒ2）2、及びＣ3−8アルキレン−Ｃ（Ｏ）ＮＨ−Ｃ2−8アルキレン−（Ｒ2）2より成る群から選択される、請求項１に記載の量子ドット結合用リガンド。
【請求項５】
各−Ｌ−（Ｒ2）q基が独立して
【化２】
2016521251.tif 000002
より成る群から選択される、請求項１に記載の量子ドット結合用リガンド。
【請求項６】
各Ｒ2がＣ（Ｏ）ＯＨである、請求項１に記載の量子ドット結合用リガンド。
【請求項７】
各ＬがＣ3−8アルキレンである、請求項６に記載の量子ドット結合用リガンド。
【請求項８】
各−Ｌ−（Ｒ2）q基が
【化３】
2016521251.tif 000003
である、請求項６に記載の量子ドット結合用リガンド。
【請求項９】
各Ｒ2がＮＨ2である、請求項１に記載の量子ドット結合用リガンド。
【請求項１０】
各Ｌが独立してＣ3−8アルキレン−（Ｃ（Ｏ）ＮＨ−Ｃ2−8アルキレン）qであり且つ各下付文字ｑが２である、請求項９に記載の量子ドット結合用リガンド。
【請求項１１】
各−Ｌ−（Ｒ2）q基が
【化４】
2016521251.tif 000004
である、請求項１０に記載の量子ドット結合用リガンド。
【請求項１２】
各Ｒ3が独立してオクチル、イソオクチル、ノニル、デシル、ウンデシル、ドデシル、トリデシル、テトラデシル、ペンタデシル、ヘキサデシル、ヘプタデシル、オクタデシル、ノナデシル、アイコシル、シクロペンチル、シクロヘキシル、シクロオクチル、ノルボルニル、アダマンチル、フェニル、ナフチル及びアントラセニルより成る群から選択される、請求項１に記載の量子ドット結合用リガンド。
【請求項１３】
Ｒ3がシクロヘキシル、フェニル及びイソオクチルより成る群から選択される、請求項１に記載の量子ドット結合用リガンド。
【請求項１４】
下付文字ｍが５〜１０の整数である、請求項１に記載の量子ドット結合用リガンド。
【請求項１５】
下付文字ｍが７である、請求項１に記載の量子ドット結合用リガンド。
【請求項１６】
下付文字ｎが１〜６の整数である、請求項１に記載の量子ドット結合用リガンド。
【請求項１７】
下付文字ｎが３である、請求項１に記載の量子ドット結合用リガンド。
【請求項１８】
ＰＯＳＳ部分が次の構造：
【化５】
2016521251.tif 000005
を有する、請求項１に記載の量子ドット結合用リガンド。
【請求項１９】
各Ｒ1がメチルであり；
各−Ｌ−（Ｒ2）q基が
【化６】
2016521251.tif 000006
より成る群から選択され；
各Ｒ3がシクロヘキシル、フェニル及びイソオクチルより成る群から選択され；
下付文字ｍが７であり；
下付文字ｎが３である：
請求項１８に記載の量子ドット結合用リガンド。
【請求項２０】
請求項１に記載の量子ドット結合用リガンド；及び
発光量子ドット（ＱＤ）の第１の母集団
を含む組成物。
【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
置換キナゾリノン化合物を含む、癌を治療するための医薬組成物であって、該置換キナゾリノン化合物が、癌を有する患者に、N-(3-(5-フルオロ-2-(4-(2-メトキシエトキシ)フェニルアミノ)ピリミジン-4-イルアミノ)フェニル)アクリルアミド、又はその医薬として許容し得る塩と併用して投与されるように用いられることを特徴とする、前記医薬組成物。
【請求項２】
前記癌が血液由来の癌である、請求項1記載の医薬組成物。
【請求項３】
前記血液由来の癌がリンパ腫、白血病又は多発性骨髄腫である、請求項2記載の医薬組成物。
【請求項４】
前記リンパ腫が非ホジキンリンパ腫である、請求項3記載の医薬組成物。
【請求項５】
前記非ホジキンリンパ腫がびまん性大細胞型B細胞リンパ腫(DLBCL)、濾胞性リンパ腫(FL)、急性骨髄性白血病(AML)、マントル細胞リンパ腫(MCL)又はALK+未分化大細胞型リンパ腫である、請求項4記載の医薬組成物。
【請求項６】
前記非ホジキンリンパ腫がびまん性大細胞型B細胞リンパ腫(DLBCL)である、請求項4記載の医薬組成物。
【請求項７】
前記リンパ腫がB細胞リンパ腫である、請求項3記載の医薬組成物。
【請求項８】
前記B細胞リンパ腫がびまん性大細胞型B細胞リンパ腫、バーキットリンパ腫/白血病、マントル細胞リンパ腫、縦隔(胸腺)大細胞型B細胞リンパ腫、濾胞性リンパ腫、辺縁帯リンパ腫、及びリンパ形質細胞リンパ腫/ワルデンシュトレームマクログロブリン血症から選択されるB細胞非ホジキンリンパ腫である、請求項7記載の医薬組成物。
【請求項９】
前記B細胞非ホジキンリンパ腫が難治性B細胞非ホジキンリンパ腫である、請求項8記載の医薬組成物。
【請求項１０】
前記B細胞非ホジキンリンパ腫が再発性B細胞非ホジキンリンパ腫である、請求項8記載の医薬組成物。
【請求項１１】
前記B細胞リンパ腫が慢性リンパ性白血病又は小リンパ球性リンパ腫である、請求項7記載の医薬組成物。
【請求項１２】
前記びまん性大細胞型B細胞リンパ腫が胚中心B細胞様びまん性大細胞型B細胞リンパ腫又は活性化B細胞様びまん性大細胞型B細胞リンパ腫である、請求項8記載の医薬組成物。
【請求項１３】
前記リンパ腫がT細胞リンパ腫である、請求項3記載の医薬組成物。
【請求項１４】
前記癌が頭部、頸部、眼、口腔、咽喉、食道、気管支、喉頭、咽頭、胸部、骨、肺、結腸、直腸、胃、前立腺、膀胱、子宮、子宮頸部、乳房、卵巣、精巣又は他の生殖器官、皮膚、甲状腺、血液、リンパ節、腎臓、肝臓、膵臓及び脳又は中枢神経系の癌である、請求項1記載の医薬組成物。
【請求項１５】
前記癌がmTOR、PI3K又はAktキナーゼ及びその突然変異体又はアイソフォームを含む経路に関連する癌である、請求項1記載の医薬組成物。
【請求項１６】
前記置換キナゾリノン化合物をN-(3-(5-フルオロ-2-(4-(2-メトキシエトキシ)フェニルアミノ)ピリミジン-4-イルアミノ)フェニル)アクリルアミドのベシル酸塩と併用して投与する、請求項1記載の医薬組成物。
【請求項１７】
前記置換キナゾリノン化合物が表A〜Gの化合物である、請求項1記載の医薬組成物。
【請求項１８】
前記患者に、抗CD20抗体がさらに投与されるように用いられることを特徴とする、請求項1記載の医薬組成物。
【請求項１９】
抗CD20抗体がリツキシマブである、請求項18記載の医薬組成物。
【請求項２０】
前記置換キナゾリノン化合物が、
【化１】
2016521280.tif 000001
又は、その医薬として許容し得る塩、溶媒和物、若しくは立体異性体である、請求項1記載の医薬組成物。
【誤訳訂正書】
【提出日】平成29年6月30日(2017.6.30)
【誤訳訂正１】
【訂正対象書類名】明細書
【訂正対象項目名】０００５
【訂正方法】変更
【訂正の内容】
【０００５】
Ｌ1は、結合を表し、または
−ＣＨ2−、−ＣＨ2−ＣＨ2−、−ＣＨ2Ｏ−、−ＣＯ−、−Ｓ−、−ＳＯ−、−ＳＯ2−、−Ｓ−ＣＨ2−、ＳＯ−ＣＨ2−、および−ＳＯ2−ＣＨ2−からなる群から選択され、
Ｙ1は、Ｒ5、Ｒ6、Ｒ7、およびＲ8で置換されていてもよい、Ｃで連結している５員もしくは６員ヘテロ芳香族部分またはＣで連結している８〜１０員ヘテロ芳香族部分を表し、Ｒ7およびＲ8は、互いに独立に、
Ｈ、ハロゲン、ＣＮ、１個または複数のＦ原子で置換されていてもよいＣ1-4−アルキル−、ＨＣ≡Ｃ−、ＯＨ、Ｃ1-4−アルキル−Ｏ−、およびＨＯ−ＣＨ2−からなる群から選択され、
【誤訳訂正２】
【訂正対象書類名】明細書
【訂正対象項目名】００５２
【訂正方法】変更
【訂正の内容】
【００５２】
記号Ｌ1は、結合を表し、または
−ＣＨ2−、−ＣＨ2−ＣＨ2−、−ＣＨ2Ｏ−、−ＣＯ−、−Ｓ−、−ＳＯ−、−ＳＯ2−、−Ｓ−ＣＨ2−、ＳＯ−ＣＨ2−、および−ＳＯ2−ＣＨ2−、好ましくは、結合、−ＣＨ2−、および−ＣＨ2−ＣＨ2−からなる群から選択され、結合であることが特に好ましい。
記号Ｙ1は、Ｒ5、Ｒ6、Ｒ7、およびＲ8でそれぞれが置換されていてもよい、Ｃで連結している５員もしくは６員ヘテロ芳香族部分またはＣで連結している８〜１０員ヘテロ芳香族部分を表し、
好ましくは、Ｙ1は、式（ａ１）〜（ｚ１）のリンカー